(57)【要約】【課題】集塵機能を高めて、メンテナンス作業の回数を減らすとともに、稼働率を向上させることができる電磁振動形ポンプを提供する。【解決手段】電磁振動形ポンプであって、内部のサイクロン室に大気を吸気する吸気口と該大気を排出する排気口を有するとともに、該吸気口よりサイクロン室に吸気された大気にサイクロン作用を発生せしめる発生部が設けられているサイクロン発生部を有する遠心力集じん器を備えている。【選択図】　　　　図１
2004076727.tif 000002
【特許請求の範囲】
【請求項１】
電磁振動形ポンプであって、内部のサイクロン室に大気を吸気する吸気口と該大気を排出する排気口を有するとともに、該吸気口よりサイクロン室に吸気された大気にサイクロン作用を発生せしめる発生部が設けられているサイクロン発生部を有する遠心力集じん器を備えてなる電磁振動形ポンプ。
【請求項２】
前記遠心力集じん器が、前記サイクロン発生部、該サイクロン発生部の下部に設けられるダスト収納部および前記サイクロン発生部の上部に設けられる上部カバーとからなる請求項１記載の電磁振動形ポンプ。
【請求項３】
前記サイクロン発生部の底部に前記ダスト収納部に連通する孔が少なくとも１個形成されている請求項２記載の電磁振動形ポンプ。
【請求項４】
前記遠心力集じん器が、前記サイクロン発生部および該サイクロン発生部の上部に設けられる上部カバーとからなる請求項１記載の電磁振動形ポンプ。
【請求項５】
前記サイクロン発生部の底部に、ダスト収納部が形成されるとともに、該ダスト収納部に連通する孔が少なくとも１個形成される分離板が配置される請求項４記載の電磁振動形ポンプ。
【請求項６】
前記ダスト収納部の底部内面に円筒リブが設けられている請求項２、３または５記載の電磁振動形ポンプ。
【請求項７】
前記サイクロン発生部、前記ダスト収納部および上部カバーが凹凸嵌合部により脱着目在にされてなる請求項２、３または６記載の電磁振動形ポンプ。
【請求項８】
前記サイクロン発生部および上部カバーが凹凸嵌合部により脱着目在にされてなる請求項４、５または６記載の電磁振動形ポンプ。
【請求項９】
前記発生部が円錐部と螺旋状の隔壁からなる請求項１、２、３、６または７記載の電磁振動形ポンプ。
【請求項１０】
前記発生部が円錐部と外方の片面にテーパが形成された円筒状の隔壁からなる請求項１、２、３、６または７記載の電磁振動形ポンプ。
【請求項１１】
前記発生部が円錐部、外方の片面にテーパが形成された円筒状の隔壁および該隔壁と前記サイクロン発生部とのあいだに配置される螺旋板からなる請求項１、２、３、６または７記載の電磁振動形ポンプ。
【請求項１２】
前記発生部が外周に窓が少なくとも１箇所形成される円錐部であり、該円錐部の先端に形成される遮蔽板が設けられている請求項１、４、５または８記載の電磁振動形ポンプ。
【請求項１３】
前記遮蔽壁の下部に垂下する遮蔽壁が設けられている請求項１２記載の電磁振動形ポンプ。
【請求項１４】
前記吸気口がサイクロン室の上部の位置に形成されている請求項１、２、３、４、５、６、７、８、９、１０、１１、１２または１３記載の電磁振動形ポンプ。
【請求項１５】
前記吸気口がサイクロン室の下部の位置に形成されている請求項１、２、３、４、５、６、７、８、９、１０、１１、１２または１３記載の電磁振動形ポンプ
【請求項１６】
前記吸気口の開口形状が、ほぼ長方形またはほぼ長円形であり、サイクロン室に向けて開口断面積が小さくなるように傾斜している請求項１、２、３、４、５、６、７、８、９、１０、１１、１２、１３、１４または１５記載の電磁振動形ポンプ。
【請求項１７】
前記サイクロン発生部の排気口が電磁振動形ポンプのポンプ筐体に連通してなる請求項１、２、３、４、５、６、７、８、９、１０、１１、１２、１３、１４、１５または１６記載の電磁振動形ポンプ。
【請求項１８】
前記遠心力集じん器をポンプ本体に並設させてなる請求項１記載の電磁振動形ポンプ。
【請求項１９】
前記遠心力集じん器のサイクロン発生部の本体が有底形状である請求項１８記載の電磁振動形ポンプ。
【請求項２０】
前記本体の上部にフィルターが設けられてなる請求項１９記載の電磁振動形ポンプ。
【請求項２１】
外周に複数個の通気孔または網目状の通気孔が形成される通気口を有してなる請求項１９記載の電磁振動形ポンプ。
【請求項２２】
塵埃を除去するためのネットが装着されている通気口を有してなる請求項２１記載の電磁振動形ポンプ。
【請求項２３】
前記ネットが通気口に着脱自在の構造により装着されてなる請求項２２記載の電磁振動形ポンプ。
【請求項２４】
前記サイクロン発生部が第１サイクロン室と第２サイクロン室を有する多重サイクロン式構造にされている請求項１８、１９、２０、２１、２２または２３記載の電磁振動形ポンプ。
【請求項２５】
前記本体の全体または外周の一部が透明または半透明な材料から作製されてなる請求項１８、１９、２０、２１、２２、２３または２４記載の電磁振動形ポンプ。
【発明の詳細な説明】
【０００１】
【発明の属する技術分野】
本発明は電磁振動形ポンプに関する。さらに詳しくは、主として室内用エアマットやエアベッドへのエアの吸排、養魚用水槽や家庭浄化槽などにおける酸素補給、または公害監視における検査ガスのサンプリングなどに利用される電磁振動型ポンプに関する。
【０００２】
【従来の技術】
従来より、電磁石と永久磁石との磁気的相互作用に基づく、該永久磁石を備えた振動子の振動を利用して流体を吸引、吐出する電磁振動形ポンプとして、図２１に示されるようなポンプがある（たとえば特許文献１）。
【０００３】
このポンプは、ダイヤフラム式ポンプであって、ポンプ筐体２００内のフレームに対向して配置されている電磁石と、永久磁石を備えた振動子と、該振動子の両端に連結されたダイヤフラムと、前記フレームの両端側にそれぞれ固定されたポンプケーシング部とから構成されている。また、前記ポンプ筐体２００の上部には、大気中の砂塵や埃などを除いて吸気するために、集塵部２０１が設けられている。この集塵部２０１は、図２２に示されるように、ポンプ筐体２００に形成されたほぼ四角形状またはほぼ円形の集塵室２０２に順次設けられた、合成繊維の不織布であるフィルター２０３、２分割のフィルターパッキン２０４およびフィルターカバー２０５から構成されている。また、前記集塵室２０２の底部には、空気の吸入用の吸気口が設けられており、フィルターカバー２０５で覆われた２分割のフィルターパッキン２０４のあいだに、大気の空気の取入口２０６が形成されている。
【０００４】
【特許文献１】
特開平８−２７０５５６号公報
【０００５】
【発明が解決しようとする課題】
かかるポンプの構成では、大気の空気は取入口２０６から吸気されたのち、フィルター２０３で集じんされ、ついで前記ポンプケーシング部のポンプ室に流入されるが、フィルター２０３を通過する微細な塵挨や砂塵を完全には除去することができない。このため、フィルターを通過した細かい砂などがポンプに使用されているダイヤフラムと当該ダイヤフラムを保持している金具のあいだに入り込み、運転を続けるあいだにダイヤフラムが傷つき、その寿命が低下するという問題がある。また、かかるダイヤフラムの損傷を早期に発見して、ダイヤフラムの取り換えるためのメンテナンス作業の回数が増えるとともに、ポンプの稼働率が低下するという問題がある。
【０００６】
本発明は、叙上の事情に鑑み、集塵機能を高めて、メンテナンス作業の回数を減らすとともに、稼働率を向上させることができる電磁振動形ポンプを提供することを目的とする。
【０００７】
【課題を解決するための手段】
本発明の電磁振動形ポンプは、電磁振動形ポンプであって、内部のサイクロン室に大気を吸気する吸気口と該大気を排出する排気口を有するとともに、該吸気口よりサイクロン室に吸気された大気にサイクロン作用を発生せしめる発生部が設けられているサイクロン発生部を有する遠心力集じん器を備えてなることを特徴としている。
【０００８】
【発明の実施の形態】
以下、添付図面に基づいて、本発明の電磁振動形ポンプを説明する。
【０００９】
実施の形態１
図１〜２に示されるように、本発明の実施の形態１にかかわる電磁振動形ダイヤフラムポンプは、ポンプ１に遠心力集じん器２を装着させたものである。すなわちこの遠心力集じん器２は、後述する排気口１３、１０および１６がポンプ筐体３の大気取入口に直接または従来のようにポンプ筐体３に形成される、集塵室にフィルター３ａを有する集塵部に形成した大気取入口３ｂに連通するようにポンプ筐体３に装着されている。かかるポンプ１の種類は、本発明において、とくに限定されるものではないが、本実施の形態１では、ポンプ筐体３内に設置されるポンプ本体に対向して配置されている電磁石、磁石を備えた振動子、該振動子の両端に連結されたダイヤフラムおとび前記電磁石の両端側に固定される、ポンプ室を有するポンプケーシング部３ｃから構成されるものが用いられている。前記電磁石は、２次元形電磁石または立体形電磁石とすることができる。たとえば２次元形電磁石の場合、電磁石は一対のＥ型鉄心（主鉄心）および各鉄心の内周凹部に組み込まれる捲線コイル部から構成される。この２次元形電磁石を用いる場合、前記電磁石間の空隙部に挿入される振動子の磁石形状は平板形状となる。また、立体形電磁石の場合、電磁石は対向して配置される一対のＥ型小径鉄心（補助鉄心）、該一対のＥ型小径鉄心とは直交する位置に配置される一対のＥ型大径鉄心（主鉄心）および該Ｅ型大径鉄心の内周凹部に組み込まれる捲線コイル部から構成される。この立体形電磁石を用いる場合、振動子の磁石形状は立方体となる。かかるポンプは、前記電磁石と磁石との磁気的相互作用に基づく、該磁石を備えた振動子の振動を利用して流体を吸引と吐出を行なう。なお、図１において、３ｄ、３ｅ、３ｆはそれぞれ集じん器カバー、排気タンクおよび吐出口である。
【００１０】
前記遠心力集じん器２は、サイクロン発生部４と、該サイクロン発生部４の下部に装着されるダスト収納部５と、前記サイクロン発生部４の上部に装着される上部カバー６とから構成されている。なお、このサイクロン発生部４、ダスト収納部５および上部カバー６は嵌合部７により脱着自在にされている。
【００１１】
前記サイクロン発生部４は、図２〜４に示されるように、円形内部のサイクロン室８に大気を吸気する吸気口９と該大気をポンプ側に排出する排気口１０を有している。また、該吸気口９よりサイクロン室８に吸気された大気にサイクロン作用を発生せしめる発生部が設けられている。なお、図３〜４において、矢印は空気の流れを示している。本実施の形態１では、この吸気口９はサイクロン室８の上部の位置に形成されているが、サイクロン室８の下部の位置９ａに形成することもできる。この吸気口９が上部の位置で開口する場合、たとえば上部で吸引された大気の埃や砂塵などを流速が早いサイクロン室８の底部に落とし込み、ダスト収納部５で集じんさせることができる。また、吸気口９が下部の位置で開口する場合、下部で吸引された大気の埃や砂塵などを流速が遅いサイクロン室８の上部側に吹き上げたのち、流速が遅い分埃や砂塵などがサイクロン室８の底部に落とし込みやすくなり、埃などをダスト収納部５で集じんさせることができる。前記吸気口９の開口形状はほぼ長方形にされ、その出口はサイクロン室８の周方向に向けられている。前記開口形状は、ほぼ長方形に限定されるものではなく、ほぼ長円形、ひし形または台形などとすることもできる。また、前記開口形状は、吸気の流速を高めるために、サイクロン室８に向けて開口断面積が小さくなるように傾斜するのが好ましい。
【００１２】
前記サイクロン発生部４は、内部にサイクロン室８を形成するための加工上の制約から、前記外周部位に複数個の排気口１０が形成された本体１１と、前記発生部である円錐部１２が形成され、前記排気口１０と同じ外周部位に排気口１３が形成された仕切板１４とから構成されている。また、このサイクロン発生部４の底部１１ａには、前記円錐部１２に対向する位置およびサイクロン室８の外周３箇所の位置にそれぞれ砂塵および異物などの落下用の孔１５ａ、１５ｂが前記ダスト収納部５に連通するように形成されている。この中央孔１５ａは、サイクロン室８で旋回する空気が円錐部１２の内側に流入するときに、外周孔１５ｂで捕捉できなかった微細な塵などを落ち込ませ、清浄度の高い空気をポンプ１側に供給させるために設けられている。この中央孔１５ａの上表面位置と円錐部１２の先端との隙間Ｓ１は、小さいほどよいが、たとえば０．５〜１０ｍｍ、好ましくは１〜５ｍｍとすることができる。なお、本実施の形態１では、前記底部１１ａには、１個の中央孔１５ａおよび３個の外周孔１５ｂが形成されているが、これらの孔１５ａ、１５ｂは、少なくとも１個でもあれば砂塵および異物を前記ダスト収納部５側に集じんすることができる。
【００１３】
前記ダスト収納部５は、前記排気口１０と同じ外周部位に排気口１６が形成されているとともに、底部内面に円筒リブ１７が設けられている。この円筒リブ１７は、逆流防止のために設けられているが、省くこともできる。
【００１４】
前記嵌合部７は、着脱自在であれば、とくに限定されるものではないが、本実施の形態１では、上部カバー６および本体１１の突起片１８の凹部１９と本体１１およびダストカバー５の側面の凸部２０とからなる凹凸構造による凹凸嵌合部にされている。この凹凸嵌合部以外にネジ結合による嵌合部とすることができるが、この場合は凹凸嵌合部の組立時間よりも組立時間が長くなる。
【００１５】
本実施の形態１では、前記電磁石と磁石との磁気的相互作用に基づく、振動子の振動により、吸気口９から吸引された大気の旋回気流中に浮遊している塵埃などは、サイクロン作用（遠心力の作用）によってサイクロン室８の周方向に向かって移動しているあいだに、気流から分離されて、外周孔１５ｂおよび中央孔１５ａからダスト収納部５に集じんされる。その結果、清浄な空気が円錐部１２内から排気口１３、１０および１６を通ってポンプ１のポンプ室に供給される。
【００１６】
実施の形態２
つぎに本発明の実施の形態２を説明する。本実施の形態２では、図５〜６に示されるように、サイクロン発生部２１の発生部が円錐部１２と螺旋状の隔壁２２から構成されている。
【００１７】
本実施の形態２では、吸気口９から吸引された大気の旋回気流中に浮遊している塵埃などは、サイクロン作用によってサイクロン室８の螺旋状の隔壁２２の周方向に向かって何回も移動しているあいだに、気流から分離されて、中央孔１５ａおよび外周孔１５ｂからダスト収納部５に集じんされる。そして、清浄な空気が円錐部１２内から排気口１３、１０および１６を通ってポンプのポンプ室に供給される。
【００１８】
実施の形態３
つぎに本発明の実施の形態３を説明する。本実施の形態３では、図７〜８に示されるように、サイクロン発生部３１の発生部が円錐部１２と外方の片面にテーパ３２が形成された円筒状の隔壁３３からから構成されている。
【００１９】
本実施の形態３では、吸気口９から吸引された大気の旋回気流中に浮遊している塵埃などは、サイクロン作用によってサイクロン室８の円筒状の隔壁３３の外周に沿って移動しているあいだに、流速の早い下部側で気流から分離されて、外周孔１５ｂからダスト収納部５に集じんされる。また、円筒状の隔壁３３の上部から該隔壁３３と仕切板１４とのあいだの隙間Ｓ２を通過した空気は、第２のサイクロン作用により円錐部１２と隔壁３３のあいだを旋回して円錐部１２内に通過するときに、微細な砂塵などが中央孔１５ａからダスト収納部５に集じんされる。その結果、清浄度の高い空気が円錐部１２内から排気口１３、１０および１６を通ってポンプのポンプ室に供給される。
【００２０】
実施の形態４
つぎに本発明の実施の形態４を説明する。本実施の形態４では、図９〜１０に示されるように、サイクロン発生部４１の発生部が円錐部１２、外方の片面にテーパ３２が形成された円筒状の隔壁３３および該隔壁３３と前記サイクロン発生部４１とのあいだに配置される螺旋板４２からから構成されている。この螺旋板４２の巻数は、サイクロン室８および隔壁３３の大きさにより適宜選定することができるが、たとえば１．５巻（周）とすることができる。なお、図９において、矢印は空気の流れを示している。
【００２１】
本実施の形態４では、前記実施の形態３における発生部に螺旋板４２が追加されているため、吸気口９から吸引された大気の旋回気流中に浮遊している塵埃などは、サイクロン室８の隔壁３３の回りで発生するサイクロン作用とともに、螺旋板４２による螺旋気流により周方向に向かって移動しているあいだに、気流から分離されて、外周孔１５ｂからダスト収納部５に集じんされる。また、円筒状の隔壁３３の上部から該隔壁３３と仕切板１４とのあいだの隙間Ｓ２を通過した空気は、第２のサイクロン作用により円錐部１２と隔壁３３のあいだを旋回して円錐部１２内に通過するときに、微細な砂塵などが中央孔１５ａからダスト収納部５に集じんされる。その結果、清浄度の高い空気が円錐部１２内から排気口１３、１０および１６を通ってポンプのポンプ室に供給される。
【００２２】
つぎに前記実施の形態２〜４にかかわる電磁振動形ポンプについて、ポンプを１０分間運転させた状態で各遠心力集じん器の吸気口から、けいそう壁（微細な砂）を３０ｇ吸わせる集じん試験を行なった。そして、１０分間後にポンプを停止させてダスト収納部に集塵されたけいそう壁の量（集じん率）を調べた。その結果、けいそう壁の量（集じん率）が２６〜２８ｇ（８７〜９３％）であることから、高い集じん効果が得られることがわかった。
【００２３】
実施の形態５
つぎに本発明の実施の形態５を説明する。本実施の形態５では、図１１〜１２に示されるように、遠心力集じん器５１が、サイクロン発生部５２および該サイクロン発生部５２の上部に設けられる上部カバー６とから構成されている。このサイクロン発生部５２および上部カバー６は嵌合部７により脱着自在にされている。該サイクロン発生部５２の発生部である円錐部１２の先端に、断面がＨ形状などの遮蔽板５３が水平に設けられている。また、この円錐部１２の外周には、排気口１０に連通する長孔の通気孔（スリット）５４が対向して一対形成されている。このスリット５４は、本発明においては、適宜の個数を形成することができるが、少なくとも１箇所形成されていればよい。本実施の形態５では、サイクロン発生部５２の底部にダスト収納部が一体に形成されているため、該ダスト収納部に連通する孔１５ａ，１５ｂが、少なくとも１個形成される分離板５６が配置されている。
【００２４】
なお、本実施の形態５では、前記サイクロン発生部５２の底部にダスト収納部が形成されているが、本発明においては、これまでの実施の形態と同様に、別体により設けることができる。また、前記サイクロン発生部５２の底部に形成されるダスト収納部には、円筒リブ１７が形成されているが、本発明においては、省くこともできる。
【００２５】
本実施の形態５では、吸気口９から吸引された大気の旋回気流中に浮遊している塵埃などは、サイクロン作用によってサイクロン室８の周方向に向かって移動しているあいだに、遮蔽板５３に衝突するなどして気流からの分離が促進されて、外周孔１５ｂおよび中央孔１５ａからダスト収納部に集じんされる。その結果、清浄な空気が円錐部１２のスリット５４から排気口１３および１０を通ってポンプ１のポンプ室に供給される。
【００２６】
実施の形態６
つぎに本発明の実施の形態６を説明する。本実施の形態６では、図１３〜１４に示されるように、遠心力集じん器６１が、前記サイクロン発生部５２および該サイクロン発生部５２の上部に設けられる上部カバー６とから構成されている。このサイクロン発生部５２および上部カバー６は嵌合部７により脱着自在にされている。該サイクロン発生部５２の円錐部１２の先端には、前記実施の形態５と同様に遮蔽板５３が形成され、さらにその下部に遮蔽壁６２が垂下されている。この遮蔽壁６２の形状、向きおよび個数については、適宜選定することができるが、本実施の形態６では、旋回気流に向かって湾曲するＲ状（曲線状）の形状にされているとともに、十字状に４枚形成されている。
【００２７】
本実施の形態６では、遮蔽壁６２により吸引力を低下させずにサイクロン室８に吸引された大気中に浮遊している塵埃などを前記本実施の形態５と同様に遮蔽板５３に衝突させて分離する。
【００２８】
なお、本発明においては、これまでの実施の形態を組み合わせて適宜用いることができる。
【００２９】
実施の形態７
本実施の形態７にかかわるポンプは、図１５〜１６に示されるように、ポンプ本体７１を収納する有底のポンプ筐体７２と、サイレンサの働きをするエアタンク７３と、前記ポンプ筐体７２とエアタンク７３とのあいだに設けられるポンプ仕切板７４と、遠心力集じん器７５とを積層して組み立てられている。また、前記ポンプ仕切板７４には、ポンプ吸入口７６から前記遠心力集じん器７５の吸気口７７までの通路を確保するために前記ポンプ本体７１を覆うようにポンプカバー７８が形成されている。ポンプ本体７１は、保持板７９に段付きクッション８０を介して支持されている。このため、ポンプ仕切板７４と保持板７９とは前記ポンプ本体７１をポンプカバー７８で覆うために、別体で組み付けられるようにされている。なお、図１５において、８１はポンプ本体７１から吐出された空気をエアタンク７３に導くホースであり、８２はエアタンク７３から、たとえばエアマットの空気袋へ空気を吐出させる吐出口である。
【００３０】
本実施の形態７は、前記実施の形態１〜６と異なり、ポンプ筐体７２内において、遠心力集じん器７５をポンプ本体７１に並設させるとともに、該遠心力集じん器７５におけるサイクロン発生部の発生部である本体８３内に塵埃などを集じんさせる（すなわちダスト収納部を備えていない）構成にされている。
【００３１】
前記本体８３は、内部に塵埃などを集じんさせるために、有底の形状をしており、この本体８３の開口部８３ｂには、通気口である円筒部８４を有する仕切板８５が被せられている。この仕切板８５は、合成樹脂または合成ゴムなどで作製されており、サイクロン室８６を密封状態にするためのシール材を兼ねている。なお、前記本体８３に形成される吸気口７７の位置は、サイクロン室８６の上部で吸引された大気の塵埃などをサイクロン作用により本体８３の底部８３ａに落とし込み、集じん効果を高めるために、前記吸気口７７は前記円筒部８４の先端部より上方の位置にするのが好ましい。また、前記ポンプ筐体７２および本体８３の全体または外周の一部は、底部８３ａに集塵された塵埃量を外見から確認することができるように、透明または半透明な材料から作製するのが好ましい。
【００３２】
前記開口部８３ｂの周辺部の一部から水平方向に排気口８７（ポンプ本体７１へのエア供給口）が形成される張出し部８８を設け、該張出し部８８を前記ポンプカバー７８の段部８９に据え付けて、遠心力集じん器７５を安定して保持させている。この段部８９の周壁には、前記排気口８７に連通するポンプ本体７１へのエア供給口９０が形成されている。また、前記仕切板８５および張出し部８８には、たとえば不織布などからなり、微細な塵埃を除去し得るフィルター９１が複数の柱９２を介して設けられている。
【００３３】
なお、前記フィルター９１は仕切板８５および張出し部８８の上面とポンプ筐体７２とのあいだに形成されるエアタンク９３に配置させるために、複数の柱９２を介して設けられていているが、本発明においては、このフィルター９１および柱９２は、前記通気口として通気孔付円錐部を用いる場合、この円錐部に塵埃除去用ネットを装着させることにより省くこともできる。また、前記フィルター９１の上部は、前記ポンプ筐体７２が覆っているが、本発明においては、個のポンプ筐体７２とは別体の上部カバーを嵌着させることもできる。
【００３４】
本実施の形態７では、図１５に示されるように、ポンプ本体７１内の振動子の振動により、ポンプへのエア供給のための吸入口７６から吸引された大気は、ポンプ筐体７２内の通路を経由してサイクロン室への吸気口７７から本体８３のサイクロン室８６に導入される。ついで旋回気流中に浮遊している大きな塵埃は、サイクロン作用（遠心力の作用）によってサイクロン室８６の周方向に向かって移動しているあいだに、気流から分離されて、本体８３の底部８３ａに集じんされる。ついで円筒部８４を通過した大気中の微細な塵埃はフィルター９２を通過するあいだに除去される。その結果、清浄な空気が排気口８７およびエア供給口９０を通ってポンプ本体７１内のポンプ室に供給される。
【００３５】
実施の形態８
本実施の形態８は、前記実施の形態７とは遠心力集じん器の構成が異なっている。本実施の形態８における遠心力集じん器１０１は、図１７〜１８に示されるように、吸気口１０２を有する有底の本体１０３と、円錐部１０４を有する仕切板１０５と、該円錐部１０４に装着されるネット１０６とから構成されている。本実施の形態８における円錐部１０４は、外周に複数個の通気孔１０７が形成され、内部に補強用の十字状支持部１０８が形成されているが、本発明においては、前記通気孔１０７の個数は、とくに限定されるものではなく、またスリット形状の通気孔１０７に代えて網目状（メッシュ形状）の通気孔とすることもできる。なお、図１８において、内部をわかりやすく示すために、前記支持部１０８の断面は省略されている。
【００３６】
前記ネット１０６は、吸引した大気中の塵埃などを除去するために装着されており、円錐部１０４に対して着脱自在であれば、その装着位置は円錐部１０４の内周面もしくは外周面のいずれか、または両面とすることができる。また、ネット１０６の装着構造は、通常の構造を適宜選定することができるが、たとえば円錐部に凸部を設けて装着するか、弾性体のリング、たとえばゴム製ベルトで押さえるか、または振動などでは剥がれないある程度の緊密力ないしはしめ代をもたせて装着させる構造とすることができる。前記ネット１０６のメッシュは、ポンプの使用場所によって、大気中の塵埃の大きさが異なるため、適宜選定することができるが、たとえば＃３００〜７００とすることができる。
【００３７】
本実施の形態８は、吸気口１０２から本体１０３のサイクロン室１０９に導入された大気の旋回気流中に浮遊している大きな塵埃などは、サイクロン作用（遠心力の作用）によってサイクロン室１０９の周方向に向かって移動しているあいだに、気流から分離されて、本体１０３の底部１０３ａに集じんされる。ついで大気中の微細な塵埃はネット１０６を通過するあいだに除去される。その結果、清浄な空気が円錐部１０４および排気口１１０を通ってポンプ本体内のポンプ室に供給される。
【００３８】
なお、本実施の形態８では、円錐部１０４にネット１０６が装着されているが、本発明においては、これに限定されるものではなく、ネットを省き、仕切板１０５とポンプ筐体とのあいだに形成されるエアタンク１１１に前記実施の形態７と同様にフィルターを配置させることもできる。また、前記本体１０３の全体または外周の一部は、底部１０３ａに集塵された塵埃量を外見から確認することができるように、透明または半透明な材料から作製するこができる。
【００３９】
実施の形態９
本実施の形態９にかかわる遠心力集じん器１２１は、図１９〜２０に示されるように、吸気口１２２を有する有底の本体１２３と、有底の隔壁筒１２４と、第２発生部である円錐部１２５と、該隔壁筒１２４と円錐部１２５に被せられる仕切板１２６とから構成されている。すなわち本実施の形態９にかかわる遠心力集じん器１２１は、本体１２３と隔壁筒１２４とのあいだに第１サイクロン室１２７が形成され、該隔壁筒１２４と円錐部１２５とのあいだに第２サイクロン室１２８が形成される、２重サイクロン式構造にされている。なお、図１９〜２０において、１２９は仕切板１２６を取りやすいように設けられたつまみ部である。また、前記本体１２３の全体または外周の一部は、底部１２３ａに集塵された塵埃量を外見から確認することができるように、透明または半透明な材料から作製するこができる。また、本実施の形態９では、２重サイクロン式構造であるため、フィルターを用いていないが、さらに微細な塵埃を除去するために、前記本体１２３の上部にフィルターを設けることができる。または前記円錐部１２５の外周に複数個の通気孔または網目状の通気孔を形成し、塵埃を除去するためのネットを着脱自在に装着させることもできる。なお、本実施の形態９では、２重サイクロン式構造にされているが、本発明においては、これに限定されるものではなく、さらにサイクロン室を設ける構造とすることにより多重サイクロン式構造とすることもできる。
【００４０】
本実施の形態９では、吸気口１２２から吸引された大気の旋回気流中に浮遊している塵埃などは、サイクロン室１２７の隔壁筒１２４の回りで発生するサイクロン作用とともに、隔壁筒１２４による上昇気流により上方に向かって移動しているあいだに、気流から分離されて、大きな塵埃が本体１２３の底部１２３ａに集じんされる。ついで隔壁筒１２４および円錐部１２５の上部に形成される第１通気口１３０と第１通気口１３１を通過した空気は、第２のサイクロン作用により隔壁筒１２４と円錐部１２５のあいだを旋回して円錐部１２５内に通過するときに、微細な塵埃が隔壁筒１２４の底部１２４ａに集じんされる。その結果、清浄度の高い空気が円錐部１２５内から第２通気口１３２、仕切板１２６に形成されるに通気口１３３および排気口１３４を通ってポンプ本体のポンプ室に供給される。
【００４１】
なお、これまでの実施の形態では、電磁振動形ダイヤフラムポンプについて説明したが、本発明は、これに限定されるものではなく、電磁振動形ピストンポンプなどにも適用することができる。
【００４２】
【発明の効果】
以上説明したとおり、本発明によれば、吸入された大気中の空気に含まれる砂塵や塵埃などをサイクロン室内においてサイクロン作用により遠心力で集じんすることができる。また、ダスト収納部または本体の底部に一度入った砂塵や塵埃などはサイクロン室に逆流することなく集じんすることができるため、集塵機能を高めることができる。これにより、クリーンな空気をポンプ室に送気できる。したがって、ポンプのメンテナンス作業の回数を減らすとともに、稼働率を向上させることができる。
【図面の簡単な説明】
【図１】本発明の実施の形態１にかかわる電磁振動形ポンプを示す側面図である。
【図２】図１の遠心力集じん器の分解斜視図である。
【図３】図１の遠心力集じん器の要部断面図である。
【図４】図１の遠心力集じん器の本体の平面図である。
【図５】本発明の実施の形態２にかかわる遠心力集じん器を示す要部断面図である。
【図６】図５の遠心力集じん器の本体の平面図である。
【図７】本発明の実施の形態３にかかわる遠心力集じん器を示す要部断面図である。
【図８】図７の遠心力集じん器の本体の平面図である。
【図９】本発明の実施の形態４にかかわる遠心力集じん器を示す要部断面図である。
【図１０】図９の遠心力集じん器の本体の平面図である。
【図１１】本発明の実施の形態５にかかわる遠心力集じん器を示す断面図である。
【図１２】図１１のＡ−Ａ線断面図である。
【図１３】本発明の実施の形態６にかかわる遠心力集じん器を示す断面図である。
【図１４】図１３のＢ−Ｂ線断面図である。
【図１５】本発明の実施の形態７にかかわる電磁振動形ポンプを示す断面図である。
【図１６】図１５の遠心力集じん器の分解斜視図である。
【図１７】本発明の実施の形態８にかかわる遠心力集じん器を示す分解斜視図である。
【図１８】図１７の遠心力集じん器のＣ−Ｃ線断面図である。
【図１９】本発明の実施の形態９にかかわる遠心力集じん器を示す分解斜視図である。
【図２０】図１９の遠心力集じん器の断面図である。
【図２１】従来のポンプを示す側面図である。
【図２２】図２１の集塵部を示す分解斜視図である。
【符号の説明】
2004076727.tif 000003
【図１】
2004076727.tif 000004
【図２】
2004076727.tif 000005
【図３】
2004076727.tif 000006
【図４】
2004076727.tif 000007
【図５】
2004076727.tif 000008
【図６】
2004076727.tif 000009
【図７】
2004076727.tif 000010
【図８】
2004076727.tif 000011
【図９】
2004076727.tif 000012
【図１０】
2004076727.tif 000013
【図１１】
2004076727.tif 000014
【図１２】
2004076727.tif 000015
【図１３】
2004076727.tif 000016
【図１４】
2004076727.tif 000017
【図１５】
2004076727.tif 000018
【図１６】
2004076727.tif 000019
【図１７】
2004076727.tif 000020
【図１８】
2004076727.tif 000021
【図１９】
2004076727.tif 000022
【図２０】
2004076727.tif 000023
【図２１】
2004076727.tif 000024
【図２２】
2004076727.tif 000025